(57)【特許請求の範囲】
【請求項１】
複数の処理装置（２０Ａ、２０Ｂ）を備え、１つの表示画面（１１）に対する描画処理を前記複数の処理装置により行う画像描画装置であって、
前記複数の処理装置のうち、起動時の表示準備時間が相対的に短い処理装置である第１処理装置（２０Ｂ）は、前記表示画面にユーザによる入力操作を受け付ける入力画像（６０）を表示し、
前記複数の処理装置は、互いに通信が可能であり、
前記第１処理装置、および、前記複数の処理装置のうち起動時の表示準備時間が相対的に長い処理装置である第２処理装置（２０Ａ）の少なくとも一方は、前記第２処理装置の表示準備が完了する前に実行可能になる処理であって、前記第２処理装置が前記表示画面に表示する画像が更新できないことをユーザに通知する通知画像（７０、８０、９０）を、表示タイミングを前記第１処理装置と前記第２処理装置との間の通信により制御して、前記表示画面に表示する通知処理を行う通知処理部（２１Ｂ、１２１Ｂ、２２１Ａ）を備えることを特徴とする画像描画装置。
【請求項２】
請求項１において、
前記第２処理装置は、起動時の表示準備が完了した場合、前記第１処理装置に前記表示準備が完了したことを表す準備完了信号を送信し、
前記第１処理装置が前記通知処理部（２１Ｂ）を備え、
前記通知処理部は、前記第１処理装置の起動時の表示準備が完了したことに基づいて、前記通知画像（７０）として、前記入力画像の色調を前記第２処理装置から前記準備完了信号を受信した後とは異ならせた画像を、前記表示画面に表示し、前記第２処理装置から前記準備完了信号を受信したことに基づいて、前記通知画像の色調を変化させて前記入力画像とすることを特徴とする画像描画装置。
【請求項３】
請求項１において、
前記第２処理装置は、起動時の表示準備が完了した場合、前記第１処理装置に前記表示準備が完了したことを表す準備完了信号を送信し、
前記第１処理装置が前記通知処理部（１２１Ｂ）を備え、
前記通知処理部は、前記第１処理装置の起動時の表示準備が完了したことに基づいて、前記通知画像（８０）として、起動処理中であることを意味する起動中メッセージを前記表示画面に表示し、前記第２処理装置から前記準備完了信号を受信したことに基づいて、前記起動中メッセージを消去して、前記入力画像を前記表示画面に表示することを特徴とする画像描画装置。
【請求項４】
請求項１において、
前記第２処理装置が前記通知処理部（２２１Ａ）を備え、
前記第１処理装置は、起動時の表示準備が完了したことに基づいて前記入力画像を表示し、ユーザが前記入力画像に対して行なった入力操作が、前記第２処理装置が前記表示画面に表示する画像を更新させることを指示する操作であった場合、前記指示を表す更新指示信号を前記第２処理装置に送信し、
前記第２処理装置が備える前記通知処理部は、前記第２処理装置の起動時の表示準備が完了していない期間に前記更新指示信号を受信したとき、前記通知画像（９０）として、起動処理中であることを意味する起動中メッセージを前記表示画面に表示することを特徴とする画像描画装置。
【発明の詳細な説明】
【技術分野】
【０００１】
本発明は、１つの表示画面に対する描画処理を複数の処理装置により行う画像描画装置に関する。
【背景技術】
【０００２】
１つの表示画面を複数の領域に分割して、それぞれの領域に異なる内容を表示する表示装置が知られている。たとえば、特許文献１に開示された車両用の装置は、１つの表示画面を、主画面と、その主画面の横に位置しており、主画面よりも小さい従画面とに分割している。表示画面が大きい場合に、表示画面を主画面と従画面とに分割することが有効である。たとえば、主画面に道路地図画像を表示し、従画面にＡＶ機器やエアコンなどの操作用画像を表示したり、主画面に従画面の詳細情報を表示したりできる。
【０００３】
これら主画面、従画面は、ユーザが種々の機器を操作する際の指示を入力する入力画面になっている場合もあり、画面に表示されているスイッチなどに対して、ユーザが選択操作を行うと、選択されたスイッチなどに応じた制御が実行される。
【先行技術文献】
【特許文献】
【０００４】
【特許文献１】特開２０１１−１２３７２３号公報
【発明の概要】
【発明が解決しようとする課題】
【０００５】
主画面には、前述した道路地図画像以外に、種々の画像を表示させることができる。たとえば、主画面に、従画面の操作により定まる画像を表示することも考えられる。また、主画面と従画面に対する画面描画を迅速に行う等の目的で、主画面を描画する処理装置と従画面を描画する処理装置とを別々に備えることも考えられる。
【０００６】
これら主画面を描画する処理装置と、従画面を描画する処理装置には、処理負荷に応じた異なる性能の処理装置が用いられる。加えて、起動時に実行するタスクも、主画面を描画する処理装置と、従画面を描画する処理装置とでは異なる。そのため、電源投入後、主画面に画像が表示されるまでの時間と、従画面に画像が表示されるまでの時間が異なる可能性がある。したがって、従画面には起動時の画像が表示されているが、主画面にはまだ起動時の画像が表示されていない状況が生じる可能性がある。
【０００７】
従画面には起動時の画像が表示されているが、主画面には起動時の画像が表示されていない状態では、ユーザが従画面を操作して主画面の画像を更新させようとしても、主画面の画像は更新されず、ユーザに違和感を与えてしまうという問題があった。
【０００８】
本発明は、この事情に基づいて成されたものであり、その目的とするところは、１つの表示画面の描画処理を複数の処理装置で行う画像描画装置であって、起動時にユーザに与える違和感が少ない画像描画装置を提供することにある。
【課題を解決するための手段】
【０００９】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１０】
上記目的を達成するための本発明は、複数の処理装置（２０Ａ、２０Ｂ）を備え、１つの表示画面（１１）に対する描画処理を複数の処理装置により行う画像描画装置であって、複数の処理装置のうち、起動時の表示準備時間が相対的に短い処理装置である第１処理装置（２０Ｂ）は、表示画面にユーザによる入力操作を受け付ける入力画像（６０）を表示し、複数の処理装置は、互いに通信が可能であり、第１処理装置、および、複数の処理装置のうち起動時の表示準備時間が相対的に長い処理装置である第２処理装置（２０Ａ）の少なくとも一方は、第２処理装置の表示準備が完了する前に実行可能になる処理であって、第２処理装置が表示画面に表示する画像が更新できないことをユーザに通知する通知画像（７０、８０、９０）を、表示タイミングを第１処理装置と第２処理装置との間の通信により制御して、表示画面に表示する通知処理を行う通知処理部（２１Ｂ、１２１Ｂ、２２１Ａ）を備えることを特徴とする。
【００１１】
本発明によれば、第１処理装置および第２処理装置の少なくとも一方は、第２処理装置が表示画面に表示する画像が更新できないことをユーザに通知する通知画像を表示画面に表示する。この通知画像を表示する通知処理は、第２処理装置の表示準備が完了する前に実行可能になる処理である。したがって、第２処理装置が表示画面に表示する画像が更新できない状態において、通知画像を表示することができる。この通知画像が表示画面に表示されることにより、ユーザは、第２処理装置が表示画面に表示する画像が更新できないことが分かる。したがって、ユーザが、表示画面に表示されている画像が更新できないことを知らずに、その画像を更新させる入力操作をしてしまうことが抑制される。その結果、表示画面に表示されている画像を更新させる入力操作をしたにも関わらず、画像が更新されないことにより、ユーザに違和感を与えてしまうことが抑制できる。
【図面の簡単な説明】
【００１２】
【図１】第１実施形態の車載表示システム１の構成を示すブロック図である。
【図２】起動後画像６０が表示されている表示画面１１を例示する図である。
【図３】マイコン２０Ａ、２０Ｂの処理を示すシーケンス図である。
【図４】準備中画像７０が表示されている表示画面１１を例示する図である。
【図５】第２実施形態の車載表示システム１００の構成を示すブロック図である。
【図６】第２実施形態のマイコン２０Ａ、１２０Ｂの処理を示すシーケンス図である。
【図７】準備中画像８０が表示されている表示画面１１を例示する図である。
【図８】第３実施形態の車載表示システム２００の構成を示すブロック図である。
【図９】第３実施形態のマイコン２２０Ａ、２２０Ｂの処理を示すシーケンス図である。
【図１０】準備中画像９０が表示されている表示画面１１を例示する図である。
【発明を実施するための形態】
【００１３】
＜第１実施形態＞
以下、本発明の実施形態を図面に基づいて説明する。図１に示す車載表示システム１は、表示装置１０と、２つのマイコン２０Ａ、２０Ｂと、入力装置３０とを備えている。
【００１４】
（表示装置１０の構成）
表示装置１０は、１つの表示画面１１を備えている。この表示画面１１は、主画面１１ｍと従画面１１ｓを備えている。これら主画面１１ｍ、従画面１１ｓに対して、それぞれ画像生成部１２ｍ、１２ｓが備えられている。表示装置１０は、表示画面１１が運転席の着座した運転手から視認できる位置に設置される。
【００１５】
画像生成部１２ｍは、主画面１１ｍに表示する画像を生成する部分であり、たとえば、液晶ディスプレイであれば、液晶層、偏光板、光源を備えた構成である。他方の画像生成部１２ｓは、従画面１１ｓに表示する画像を生成する部分であり、構成は、画像生成部１２ｍと同様である。
【００１６】
マイコン２０Ａ、マイコン２０Ｂは、本発明の画像描画装置を構成する。これらマイコン２０Ａ、２０Ｂは、通信線４０により互いに通信可能になっている。
【００１７】
（マイコン２０Ａの構成）
マイコン２０Ａは、請求項の第２処理装置に相当している。このマイコン２０Ａは、ＣＰＵ、ＲＯＭ、ＲＡＭ等を備えており、ＣＰＵが、ＲＡＭの一時記憶機能を利用しつつＲＯＭに記憶されているプログラムを実行することで、描画処理部２１Ａ、更新指示部２２Ａ、完了通知部２３Ａとして機能する。なお、マイコン２０Ａが実行する機能の一部または全部を、一つあるいは複数のＩＣ等によりハードウェア的に構成してもよい。
【００１８】
マイコン２０Ａは、電源が投入されて起動するときに、これらの各部２１Ａ、２２Ａ、２３Ａや、その他の機能など、予め設定されている機能を起動させる起動処理を行う。
【００１９】
描画処理部２１Ａは、画像生成部１２ｍに画像生成信号２４Ａを送信することにより、画像生成部１２ｍに、主画面１１ｍに表示させる画像を生成させる。画像生成部１２ｍが画像を生成すると、その画像が主画面１１ｍに表示させる。
【００２０】
描画処理部２１Ａが画像生成部１２ｍに生成させる画像は、オーディオ機器に対する操作をユーザが入力するための画像、ナビゲーション機能を実行中に表示する種々の画像などがある。この描画処理部２１Ａは、入力装置３０から指示された入力信号と、その入力信号が入力されたときに表示している画像とに基づいて、入力信号がどの画像を選択したかを判断する。この判断結果に基づいて、画像生成部１２ｍに生成させる画像を変化させる。
【００２１】
ただし、前述したように、マイコン２０Ａは起動時に起動処理を行う。この起動処理には、描画処理部２１Ａが画像を表示させるための表示準備処理も含まれる。表示準備処理は、たとえば、オーディオ機器を制御するためのプログラムを起動させる処理や、ナビゲーション機能を実行するためのプログラムを起動させる処理である。マイコン２０Ａに電源が投入されてから表示準備処理が終了するまでの期間である表示準備期間Ｔｐ（Ａ）は、主画面１１ｍに表示する画像を切り替えることができない。
【００２２】
更新指示部２２Ａは、描画処理部２１Ａが画像生成部１２ｍに描画させている画像と、入力装置３０から入力された入力信号とに基づいて、入力信号がどの画像を選択したかを判断する。この判断結果に基づいて、従画面１１ｓに表示する画像を変化させる必要があるかどうかをさらに判断する。従画面１１ｓに表示する画像を変化させる必要があると判断した場合、マイコン２０Ｂの描画処理部２１Ｂに更新指示信号を送信する。
【００２３】
完了通知部２３Ａは、描画処理部２１Ａの表示準備が完了した場合に、そのことを示す準備完了信号をマイコン２０Ｂに送信する。
【００２４】
（マイコン２０Ｂの構成）
マイコン２０Ｂは、請求項の第１処理装置に相当している。このマイコン２０Ｂも、ＣＰＵ、ＲＯＭ、ＲＡＭ等を備えており、ＣＰＵが、ＲＡＭの一時記憶機能を利用しつつＲＯＭに記憶されているプログラムを実行することで、マイコン２０Ｂは、描画処理部２１Ｂ、更新指示部２２Ｂとして機能する。なお、マイコン２０Ｂが実行する機能の一部または全部も、一つあるいは複数のＩＣ等によりハードウェア的に構成してもよい。
【００２５】
マイコン２０Ｂも、電源が投入されて起動するときに、これらの各部２１Ｂ、２２Ｂや、その他の機能など、予め設定されている機能を起動させる起動処理を行う。描画処理部２１Ｂは、画像生成部１２ｓに画像生成信号２３Ｂを送信することにより、画像生成部１２ｓに、従画面１１ｓに表示させる画像を生成させる。画像生成部１２ｓが画像を生成すると、その画像が従画面１１ｓに表示させる。
【００２６】
マイコン２０Ｂも起動時に起動処理を行う。マイコン２０Ｂが行う起動処理には、描画処理部２１Ｂが画像を表示させるための表示準備処理も含まれる。マイコン２０Ｂに電源が投入されてから表示準備処理が終了するまでの期間である表示準備期間Ｔｐ（Ｂ）は、従画面１１ｓに表示する画像を切り替えることができない。ただし、マイコン２０Ｂの起動時の演算量が、マイコン２０Ａの起動時の演算量よりも少ない等の理由により、マイコン２０Ｂの表示準備時間は、マイコン２０Ａの表示準備時間よりも短い。
【００２７】
したがって、マイコン２０Ｂの表示準備処理は、マイコン２０Ａの表示準備処理よりも早く終了する。しかし、マイコン２０Ａの表示準備が完了するまでは、マイコン２０Ａに主画面１１ｍの更新を指示しても、マイコン２０Ａは主画面１１ｍを更新することができない。
【００２８】
そこで、描画処理部２１Ｂは、マイコン２０Ａの表示準備が完了するまでは、従画面１１ｓ内のスイッチ操作を無効にする。また、従画面１１ｓ内のスイッチ操作が無効であることを示すために、従画面１１ｓに、マイコン２０Ａの表示準備が完了した以後に従画面１１ｓに表示する画像（以下、起動後画像６０）とは色調を変化させた画像を表示する。起動後画像６０に対して色調を変化させた画像は、マイコン２０Ａが表示準備中であるときに従画面１１ｓに表示することになるので、以下、この画像を準備中画像７０という。図２、図４に、起動後画像６０、準備中画像７０を例示している。これらの説明は後述する。
【００２９】
色調は、色の明度と彩度によって分けられる色の系統を意味しており、本実施形態における色調の変化は、起動後画像６０の色調を、グレーアウト、あるいは、トーンダウンさせる変化である。
【００３０】
準備中画像７０を従画面１１ｓに表示した後、マイコン２０Ａの表示準備が完了したことを、マイコン２０Ａの完了通知部２３Ａが通知した場合に、マイコン２０Ｂの描画処理部２１Ｂは、従画面１１ｓに表示している画像を、起動後画像６０とする。
【００３１】
準備中画像７０は、表示準備が完了した場合にマイコン２０Ｂが表示することができる画像であり、マイコン２０Ｂの表示準備は、マイコン２０Ａの表示準備よりも先に完了する。すなわち、準備中画像７０を表示する処理は、マイコン２０Ａの表示準備が完了する前に実行可能になる処理である。
【００３２】
準備中画像７０は、起動後画像６０に対して、色調がグレーアウトあるいはトーンダウンさせられていることから、準備中画像７０に表示されているスイッチも、まだ、操作できないと、ユーザは認識することができる。準備中画像７０には、主画面１１ｍの表示を更新する際にユーザが操作するスイッチ画像も含まれている。たとえば、図４に例示している主画面呼び出しスイッチ画像６２などである。
【００３３】
準備中画像７０は、全体が、起動後画像６０に対して色調がグレーアウトあるいはトーンダウンさせられているので、主画面呼び出しスイッチ画像６２の色調も、グレーアウトあるいはトーンダウンさせられている。したがって、主画面呼び出しスイッチ画像６２も操作できないことを、ユーザは認識することができる。換言すれば、準備中画像７０に含まれており、起動後画像６０に対して色調がグレーアウトあるいはトーンダウンさせられた主画面呼び出しスイッチ画像６２は、ユーザに、主画面１１ｍを更新することができないことを通知していると言える。よって、準備中画像７０は、主画面１１ｍに表示する画像を更新することができないことをユーザに通知していることになるので、準備中画像７０は請求項の通知画像に相当する。また、この準備中画像７０を表示する処理を行う描画処理部２１Ｂは請求項の通知処理部としての機能を備える。
【００３４】
準備中画像７０の表示タイミングのうち、表示終了タイミングは、マイコン２０Ｂが、通信線４０を介した通信により、マイコン２０Ａから準備完了信号を取得したタイミングである。準備完了信号を取得した場合には、マイコン２０Ｂの描画処理部２１Ｂは、従画面１１ｓに表示している画像を、準備中画像７０から起動後画像６０に切り替える。
【００３５】
更新指示部２２Ｂは、描画処理部２１Ｂが画像生成部１２ｓに描画させている画像と、入力装置３０から入力された入力信号とに基づいて、入力信号がどの画像を選択したかを判断する。この判断結果に基づいて、主画面１１ｍに表示する画像を変化させる必要があるかどうかをさらに判断する。主画面１１ｍに表示する画像を変化させる必要があると判断した場合、マイコン２０Ａの描画処理部２１Ａに更新指示信号を送信する。
【００３６】
入力装置３０は、たとえば、表示装置１０から離隔した位置に設けられた遠隔操作デバイスである。この遠隔操作デバイスは、表示画面１１に表示されたポインタを移動させる際にユーザが操作する移動操作部と、ポインタの位置に表示されている画像を選択する際にユーザが操作する選択操作部とを備える。また、遠隔操作デバイスに加えて、あるいは、遠隔操作デバイスに代えて、表示画面１１に重畳させたタッチパネルを入力装置３０として備えていてもよい。
【００３７】
（表示画面１１の画像例）
図２には、表示画面１１に表示される画像例である。図２の例では、主画面１１ｍには、ディスク画像５０が表示されている。ディスク画像５０は、曲情報画像５１、ＣＤジャケット画像５２、一時停止スイッチ画像５３、ランダム再生スイッチ画像５４、リピート再生スイッチ画像５５、設定変更スイッチ画像５６などを含んだ画像である。
【００３８】
曲情報画像５１は、曲名、アルバム名、アーティスト名を表示している画像であり、ＣＤジャケット画像５２は選択中のＣＤジャケットの画像である。一時停止スイッチ画像５３は、再生中の音楽を一時停止させる際にユーザが選択する画像である。ランダム再生スイッチ画像５４は、再生モードをランダム再生モードにする際にユーザが選択するスイッチを表した画像であり、リピート再生スイッチ画像５５は、再生モードをリピート再生モードにする際にユーザが選択するスイッチを表す画像である。
【００３９】
図２において、従画面１１ｓには起動後画像６０が表示されている。図２の例においては、起動後画像６０は、切替スイッチ画像６１、主画面呼び出しスイッチ画像６２、曲情報画像６３を含んでいる。
【００４０】
切替スイッチ画像６１は、従画面１１ｓにおいて切替スイッチ画像６１よりも下の画像の種類を切り替える際にユーザが選択操作をするスイッチを表した画像である。主画面呼び出しスイッチ画像６２は、主画面１１ｍに表示させる画像を切り替える際にユーザが選択操作するスイッチを表した画像である。主画面呼び出しスイッチ画像６２には、呼び出す画像の種類を表している種別画像６２ａが含まれている。この主画面呼び出しスイッチ画像６２を含んでいる起動後画像６０は請求項の入力画像に相当する。
【００４１】
この主画面呼び出しスイッチ画像６２が選択されると、マイコン２０Ｂの更新指示部２２Ｂは、選択時に、種別画像６２ａに表示されている種類の画像を主画面１１ｍに表示させることを指示する更新指示信号をマイコン２０Ａに送信する。
【００４２】
曲情報画像６３は、主画面１１ｍの曲情報画像５１と同じ情報を表している画像である。従画面１１ｓにおいて、曲情報画像６３を表示している領域は、詳細表示領域６４であり、  詳細表示領域６４には、曲情報画像６３以外にも種々の画像が表示される。詳細表示領域６４に表示される画像は、主画面１１ｍに表示されている画像と関連する画像である場合もある。
【００４３】
主画面１１ｍに表示されている画像と関連する画像を従画面１１ｓに表示させる場合には、マイコン２０Ａの更新指示部２２Ａが更新指示信号をマイコン２０Ｂに送信する。この更新指示信号を、マイコン２０Ｂが受信すると、受信した更新指示信号の内容に基づいて、詳細表示領域６４に表示する画像を切り替える。
【００４４】
（マイコン２０Ａ、２０Ｂの処理の流れ）
図３は、マイコン２０Ａ、２０Ｂの処理を示すシーケンス図であり、オブジェクトであるマイコン２０Ａ、２０Ｂから下方に延びる直線は時間軸を表している。
【００４５】
マイコン２０Ａとマイコン２０Ｂは、時刻ｔ１において同時に電源がオンされる。電源がオンになると、マイコン２０Ａ、マイコン２０Ｂは、起動時に立ち上げるべきプログラムを立ち上げるなど、表示準備処理を含めた起動処理を開始する。
【００４６】
図３に示すように、マイコン２０Ｂの表示準備期間Ｔｐ（Ｂ）は、マイコン２０Ａの表示準備期間Ｔｐ（Ａ）よりも早く終了する。そのため、時刻ｔ２においてマイコン２０Ｂは表示準備期間Ｔｐ（Ｂ）が終了する。表示準備期間Ｔｐ（Ｂ）が終了すると、マイコン２０Ｂの描画処理部２１Ｂは、従画面１１ｓに準備中画像７０を表示する（ステップＳ１）。従画面１１ｓに準備中画像７０が表示されたとき、マイコン２０Ａは、まだ表示準備期間Ｔｐ（Ａ）が終了していない。したがって、図４に示すように、表示画面１１のうち主画面１１ｍには画像は表示されていない。一方、従画面１１ｓには準備中画像７０が表示されている。
【００４７】
この準備中画像７０を表示しているときは、準備中画像７０内に含まれているスイッチ操作も無効とする。すなわち、準備中画像７０内に含まれている種々のスイッチが選択操作されても、その選択操作は受け付けない。
【００４８】
時刻ｔ３になると、マイコン２０Ａの表示準備期間Ｔｐ（Ａ）が終了する。すなわち、主画面１１ｍに対する表示準備が完了する。このとき、通信線４０を介して、完了通知部２３Ａが準備完了信号をマイコン２０Ｂに送信する（ステップＳ２）。
【００４９】
マイコン２０Ｂは、この準備完了信号を受信すると、従画面１１ｓに表示していた準備中画像７０の色調を変化させて起動後画像６０とする。また、起動後画像６０内に含まれているスイッチ操作を有効化する（ステップＳ３）。
【００５０】
その後の時刻である時刻ｔ４において、従画面１１ｓ内に表示しているスイッチが操作され、そのスイッチ操作が主画面１１ｍに表示する画像を変化させる操作であれば、マイコン２０Ａの描画処理部２１Ａに更新指示信号を送信する（ステップＳ４）。
【００５１】
この更新指示信号を受信したマイコン２０Ａは、主画面１１ｍに表示している画像を、更新指示信号に基づいて定まる画像に更新する。
【００５２】
（第１実施形態の効果）
以上、説明した本実施形態によれば、マイコン２０Ｂが備える描画処理部２１Ｂは、マイコン２０Ａが主画面１１ｍに表示する画像が更新できないことをユーザに通知する準備中画像７０を従画面１１ｓに表示する。この準備中画像７０を表示する処理は、マイコン２０Ａの表示準備が完了する前に実行可能になる処理である。したがって、マイコン２０Ａが主画面１１ｍに表示する画像が更新できない状態において、準備中画像７０を表示することができる。
【００５３】
この準備中画像７０が従画面１１ｓに表示されることにより、ユーザは、表示画面１１が更新できないことが分かる。したがって、ユーザが、表示画面１１に表示されている画像が更新できないことを知らずに、その画像を更新させる入力操作をしてしまうことが抑制される。その結果、表示画面１１に表示されている画像を更新させる入力操作をしたにも関わらず、画像が更新されないことにより、ユーザに違和感を与えてしまうことが抑制できる。
【００５４】
また、マイコン２０Ａの表示準備処理が終了していないにも関わらず、主画面１１ｍに表示する画像を変更させる操作をしてしまうと、表示準備処理に悪影響がある可能性もある。しかし、本実施形態では、表示準備処理が終了していない間に、主画面１１ｍに表示する画像を変更させる操作をしてしまうことが抑制されるので、表示準備処理を実行中にトラブルが生じてしまうことも抑制される。
【００５５】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００５６】
第２実施形態の車載表示システム１００は、図５に示すように、第１実施形態のマイコン２０Ｂに代えて、マイコン１２０Ｂを備える。その他の構成は第１実施形態と同じである。
【００５７】
マイコン１２０Ｂは、第１実施形態の描画処理部２１Ｂに代えて、描画処理部１２１Ｂを備え、また、第１実施形態と同じ更新指示部２２Ｂを備える。描画処理部１２１Ｂは、表示準備期間Ｔｐ（Ｂ）が終了した後に従画面１１ｓに表示させる画像が、第１実施形態の描画処理部２１Ｂと異なる。その他は、第１実施形態の描画処理部２１Ｂと同様である。
【００５８】
具体的には、描画処理部１２１Ｂは、表示準備期間Ｔｐ（Ｂ）が終了した場合、図６に示す準備中画像８０を従画面１１ｓに表示する。図６に示すように、準備中画像８０は、「しばらくお待ちください」というメッセージが表された画像である。この準備中画像８０を見たユーザは、起動処理中であることが分かる。したがって、準備中画像８０に表示されているメッセージは、請求項の起動中メッセージに相当し、準備中画像８０は請求項の通知画像に相当する。また、描画処理部１２１Ｂは請求項の通知処理部に相当する。
【００５９】
次に、描画処理部１２１Ｂの処理を、図７に示しているシーケンス図を用いて説明する。マイコン１２０Ｂは表示準備期間Ｔｐ（Ｂ）が終了した時刻ｔ２において、起動中メッセージを表している前述の準備中画像８０を従画面１１ｓに表示する（ステップＳ１−１）。この準備中画像８０にはスイッチが表示されていないので、当然、従画面１１ｓ内のスイッチ操作も無効である。
【００６０】
準備中画像８０を従画面１１ｓに表示しているときは、マイコン２０Ａはまだ表示準備処理が終了していないので、図６に示すように、主画面１１ｍには、何も表示されていない。
【００６１】
時刻ｔ２よりも後の処理は第１実施形態と同じであり、時刻ｔ３において、マイコン２０Ａの表示準備が完了すると、完了通知部２３Ａが準備完了信号をマイコン２０Ｂに送信する（ステップＳ２）。マイコン２０Ｂは、この準備完了信号を受信すると、準備中画像８０を消去して、代わりに、起動後画像６０を表示し、かつ、起動後画像６０内に含まれているスイッチ操作を有効化する（ステップＳ３）。
【００６２】
＜第３実施形態＞
次に、第３実施形態を説明する。第３実施形態の車載表示システム２００は、図８に示すように、第１実施形態のマイコン２０Ａ、２０Ｂに代えて、マイコン２２０Ａ、２２０Ｂを備える。その他の構成は第１実施形態と同じである。
【００６３】
マイコン２２０Ａは、第１実施形態の描画処理部２１Ａに代えて、描画処理部２２１Ａを備え、また、第１実施形態と同じ更新指示部２２Ａを備える。一方、第１実施形態のマイコン２０Ａが備えていた完了通知部２３Ａは備えていない。
【００６４】
描画処理部２２１Ａは、表示準備処理が第１実施形態の描画処理部２１Ａと相違する。具体的には、描画処理部２２１Ａは、表示準備処理において、表示準備中であることを通知する準備中表示プログラムを優先的に起動させる。
【００６５】
この準備中表示プログラムは、表示準備処理が完了する前にマイコン２２０Ｂから更新指示信号が送信された場合に、起動処理中であること意味するメッセージが表された準備中画像９０を主画面１１ｍに表示させるためのプログラムである。
【００６６】
図９に準備中画像９０を例示している。図９に例示している準備中画像９０は、起動処理中であることを意味するメッセージとして「しばらくお待ちください」というメッセージが表されている。この準備中画像９０は、第２実施形態の準備中画像８０と同様、請求項の通知画像に相当し、描画処理部２２１Ａは請求項の通知処理部に相当する。
【００６７】
準備中表示プログラムは、更新指示信号が送信されたことを判断して、準備中画像９０を主画面１１ｍに表示させるだけのプログラムであることから、短時間で起動させることができる。描画処理部２２１Ａは、この準備中表示プログラムを、マイコン２２０Ｂの表示準備期間Ｔｐ（Ｂ）が終了する前に起動させる。これ以外の描画処理部２２１Ａの処理は、第１実施形態の描画処理部２１Ａと同じである。
【００６８】
マイコン２２０Ｂは、第１、２実施形態の描画処理部２１Ｂ、１２１Ｂに代えて、描画処理部２２１Ｂを備え、また、第１、２実施形態と同じ更新指示部２２Ｂを備える。描画処理部２２１Ｂは、表示準備期間Ｔｐ（Ｂ）が終了した後、準備中画像７０、８０を表示せずに、即座に、起動後画像６０を従画面１１ｓに表示する。また、起動後画像６０を表示したときから、従画面１１ｓ内のスイッチ操作を有効化する。その他は、第１実施形態の描画処理部２１Ｂと同様である。
【００６９】
次に、描画処理部２２１Ａ、２２１Ｂの処理を、図１０に示しているシーケンス図を用いて説明する。マイコン２２０Ｂは、表示準備期間Ｔｐ（Ｂ）が終了した時刻ｔ２において、従画面１１ｓに、起動後画像６０を表示するとともに、従画面１１ｓ内のスイッチ操作を有効化する（ステップＳ１−２）。
【００７０】
これにより、時刻ｔ２−１に示すように、マイコン２２０Ａの表示準備期間Ｔｐ（Ａ）が終了していない状況であっても、マイコン２２０Ｂからマイコン２２０Ａに更新指示信号が送信されることがある。
【００７１】
マイコン２２０Ａは、表示準備期間Ｔｐ（Ａ）が終了していない状況で更新指示信号が送信された場合には、一定時間、図９に例示しているように、準備中画像９０を主画面１１ｍに表示する（ステップＳ１−３）。マイコン２２０Ａの表示準備期間Ｔｐ（Ａ）が終了する時刻ｔ３以降の処理は、図３と同じである。
【００７２】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【００７３】
たとえば、第１実施形態では、準備中画像７０を表示するとともに、従画面１１ｓ内のスイッチ操作を無効としていたが、スイッチ操作を無効とすることは必須ではない（変形例１）。
【００７４】
なお、準備中画像７０内のスイッチ操作を有効とする場合、第３実施形態と組み合わせ、マイコン２０Ａに更新指示信号が送信された場合に、主画面１１ｍに準備中画像９０を表示させることが好ましい（変形例２）。
【符号の説明】
【００７５】
１：車載表示システム、  １０：表示装置、  １１：表示画面、  １１ｍ：主画面、  １１ｓ：従画面、  １２ｍ：画像生成部、  １２ｓ：画像生成部、  ２０Ａ：マイコン、  ２０Ｂ：マイコン、  ２１Ａ：描画処理部、  ２１Ｂ：描画処理部、  ２２Ａ：更新指示部、  ２２Ｂ：更新指示部、  ２３Ａ：完了通知部、  ２３Ｂ：画像生成信号、  ２４Ａ：画像生成信号、  ３０：入力装置、  ４０：通信線、  ５０：ディスク画像、  ６０：起動後画像、  ６１：切替スイッチ画像、  ６２：主画面呼び出しスイッチ画像、  ６２ａ：種別画像、  ６３：曲情報画像、  ６４：詳細表示領域、  ７０：準備中画像、  ８０：準備中画像、  ９０：準備中画像、  １００：車載表示システム、  １２０Ｂ：マイコン、  １２１Ｂ：描画処理部、  ２００：車載表示システム、  ２２０Ａ：マイコン、  ２２０Ｂ：マイコン、  ２２１Ａ：描画処理部、  ２２１Ｂ：描画処理部
【図１】
0006319038.tif 000002
【図２】
0006319038.tif 000003
【図３】
0006319038.tif 000004
【図４】
0006319038.tif 000005
【図５】
0006319038.tif 000006
【図６】
0006319038.tif 000007
【図７】
0006319038.tif 000008
【図８】
0006319038.tif 000009
【図９】
0006319038.tif 000010
【図１０】
0006319038.tif 000011